(57)【要約】【課題】  多数の配線を接続する場合であっても、配線接続作業をし易くすると共に、接続確認試験を容易に行うことができるインターホン機器を提供する。【解決手段】  インターホン機器の配線接続端子を、インターホン機器本体１から分離可能に形成された接続端子ユニットに設け、インターホン機器本体１に接続端子ユニットに電気的に接続するための接続ジャック８を設ける一方、接続端子ユニットにインターホン機器本体１に電気的に接続するための接続コネクタを設けた。連結面６の下端に、接続端子ユニットの装着を案内するスライド案内突片１３を設け、その両側には接続端子ユニットに設けたスライド案内突片を案内する案内溝１４を形成した。【選択図】  図２
2007208506.tif 000002
【特許請求の範囲】
【請求項１】
インターホン機器本体から分離可能に形成された接続端子ユニットに多数の配線接続端子を配置したインターホン機器であって、
前記接続端子ユニットは、壁面等への装着部位以外のインターホン機器の露出部位に配置され、前記インターホン機器本体に電気的に接続するための接続コネクタを有し、前記インターホン機器本体は、前記接続端子ユニットに電気的に接続するための接続ジャックを有することを特徴とするインターホン機器。
【請求項２】
前記接続端子ユニット及び前記インターホン機器本体のうち少なくとも一方に、スライド案内手段を設け、前記接続コネクタが前記接続ジャックにスライド移動操作で連結されることを特徴とする請求項１記載のインターホン機器。
【請求項３】
前記スライド案内手段が、前記接続端子ユニット及び前記インターホン機器本体の対向面の少なくとも一方に設けたスライド案内突片と、他方に設けた前記スライド案内突片を案内する案内溝とで構成されることを特徴とする請求項２記載のインターホン機器。
【請求項４】
前記インターホン機器本体の接続端子ユニット装着部は、前記インターホン機器本体ハウジングの側部を略コ字状に切り欠いて形成され、接続端子ユニットを挟持する挟持壁を左右備えて上下方向が開放されて成り、切り欠いた前方から前記接続ユニットのスライド装着が可能であって、
前記インターホン機器本体及び前記接続端子ユニットのうち少なくとも一方に、接続端子ユニットが上下方向へ傾倒するのを防止する保持リブを有することを特徴とする請求項１乃至３の何れかに記載のインターホン機器。
【請求項５】
前記接続端子ユニットは、開放された上面に上方を向いた複数の配線接続端子を備えた端子面を有すると共に、前記接続端子ユニットの端子面を覆う蓋を有し、施蓋することで配線挿通孔が形成されることを特徴とする請求項４記載のインターホン機器。
【請求項６】
前記インターホン機器本体は、接続ジャックを設けた連結面にＬＡＮ接続端子が配設され、前記接続ジャックを下部、前記ＬＡＮ接続端子を上部に配置したことを特徴とする請求項５に記載のインターホン機器。
【発明の詳細な説明】
【技術分野】
【０００１】
本発明は、インターホン機器に関し、詳しくはインターホン装置を構成する複数の配線接続端子を備えたインターホン機器において、各種センサー等の配線作業を軽減する技術に関する。
【背景技術】
【０００２】
居室親機、玄関子機、制御機等を構成するインターホン機器は、複数の配線を接続する為の接続端子群をハウジング内部や背面等に備えている。例えば特許文献１に記載のインターホン機器では、ハウジング背面に速結端子から成る接続端子群を備え、壁面内に配設された配線を背面で接続するよう構成されている。
また、引用文献２に記載のインターホン機器では、配線を端子ユニット装置に接続し、この配線ユニット装置から伸びた信号線のコネクタをハウジング背面に設けた信号線端子に接続する構成となっている。
【０００３】
【特許文献１】特開２００１−２３７５６６号公報
【特許文献２】特開２００３−１２５０８９号公報
【発明の開示】
【発明が解決しようとする課題】
【０００４】
しかしながら、上記特許文献１に記載された従来のインターホン機器においては、配線接続端子がインターホン機器と一体であるため、作業スペースが小さく配線作業が容易ではなかったし、施工時に接続確認試験を行う場合も、配線接続端子がインターホン機器と一体であるためインターホン機器を持った状態で行う事になり、面倒であった。
また、特許文献２の構成の場合、配線の接続作業は、インターホン機器とは別体で取り扱いやすい端子ユニット装置を用いるので、比較的容易に行うことができるが、配線取り回しスペースは壁面内となるため小さく、多数の配線を接続する場合には好ましい形態ではなかったし、接続確認試験はインターホン機器背部で行うため、やはり面倒であった。
【０００５】
そこで、本発明はこのような問題点に鑑み、多数の配線を接続する場合であっても、配線接続作業をし易くすると共に、接続確認試験を容易に行うことができるインターホン機器を提供することを目的としている。
【課題を解決するための手段】
【０００６】
上記課題を解決する為に、請求項１に記載の発明は、インターホン機器本体から分離可能に形成された接続端子ユニットに多数の配線接続端子を配置したインターホン機器であって、接続端子ユニットは、壁面等への装着部位以外のインターホン機器の露出部位に配置され、インターホン機器本体に電気的に接続するための接続コネクタを有し、インターホン機器本体は、接続端子ユニットに電気的に接続するための接続ジャックを有することを特徴とする。
この発明によれば、配線接続端子を本体と分離した接続端子ユニットとして構成することにより、扱い易くなり配線接続作業がし易くなる。また、インターホン機器本体を壁面等から取り外すことなく接続端子ユニットを分離可能であり、端子部の接続確認試験やメンテナンスを容易に行うことができる。
【０００７】
請求項２の発明は、請求項１に記載の発明において、接続端子ユニット及びインターホン機器本体のうち少なくとも一方に、スライド案内手段を設け、接続コネクタが接続ジャックにスライド移動操作で連結されることを特徴とする。
この発明によれば、接続端子ユニットをインターホン機器本体へ連結するスライド操作をスムーズに行うことができる。
【０００８】
請求項３の発明は、請求項２に記載の発明において、スライド案内手段が、接続端子ユニット及びインターホン機器本体の対向面の少なくとも一方に設けたスライド案内突片と、他方に設けたスライド案内突辺を案内する案内溝とで構成されることを特徴とする。
この発明によれば、スライド案内手段が簡易な構成にできる。
【０００９】
請求項４の発明は、請求項１乃至３の何れかに記載の発明において、インターホン機器本体の接続端子ユニット装着部は、インターホン機器本体ハウジングの側部を略コ字状に切り欠いて形成され、接続端子ユニットを挟持する挟持壁を左右備えて上下方向が開放されて成り、切り欠いた前方から接続ユニットのスライド装着が可能であって、インターホン機器本体及び接続端子ユニットのうち少なくとも一方に、接続端子ユニットが上下方向へ傾倒するのを防止する保持リブを有することを特徴とする。
この発明によれば、接続端子ユニットの左右は挟持壁により挟持され、上下方向は保持リブにより保持されるので、スライド方向以外から力が作用しても接続端子ユニットは安定して接続を維持でき、端子構造が劣化したり、機器の破損を防止できる。また、インターホン機器本体の側部に接続端子ユニット装着部を設けたので、接続端子ユニット装着後にインターホン機器ハウジングが前方に突出するようなことなく、意匠上も好ましい。
【００１０】
請求項５の発明は、請求項４に記載の発明において、接続端子ユニットは、開放された上面に上方を向いた複数の配線接続端子を備えた端子面を有すると共に、接続端子ユニットの端子面を覆う蓋を有し、施蓋することで配線挿通孔が形成されることを特徴とする。
この発明によれば、端子面は開放されているので接続作業がし易いし、施蓋することで配線処理孔以外が閉塞されるので端子部に塵等が入り難くなる。また、端子面が上方に向いて配置されるので、接続確認試験がし易いし配線処理もし易くなる。
【００１１】
請求項６の発明は、請求項５に記載の発明において、インターホン機器本体は、接続ジャックを設けた連結面にＬＡＮ接続端子が配設され、接続ジャックを下部、ＬＡＮ接続端子を上部に配置したことを特徴とする。
この発明によれば、接続ジャックとＬＡＮ接続端子が同一面に配置されるので、各端子の着脱作業がし易い。また、接続ジャックを下部、ＬＡＮ接続端子を上部に配置することで、端子面上部に十分な配線スペースの確保が可能となる。
【発明の効果】
【００１２】
本発明によれば、配線接続端子を本体と分離した接続端子ユニットとして構成することにより、配線接続端子が扱い易くなり配線接続作業がし易くなる。また、インターホン機器本体を取り外すことなく接続端子ユニットを分離可能であり、端子部の接続確認試験やメンテナンスを容易に行うことができる。
【発明を実施するための最良の形態】
【００１３】
以下、本発明を具体化した実施の形態を、図面に基づいて詳細に説明する。図１は、本発明に係るインターホン機器の１つであるターミナルアダプタの斜視図であり、インターホン機器本体１と、接続端子ユニット２と、接続端子上方を覆う蓋３とから構成されている。尚、接続端子ユニット２を装着したインターホン機器の図示する手前側側面を前面として以下説明し、図示する下側が壁面等への装着面となっている。また、ここで示すインターホン機器のターミナルアダプタは、主に防犯センサや火災感知器等の各種センサが接続され、異常が発生した場合に居室親機に警報を発報させる制御を行う。
【００１４】
インターホン機器本体１は、図２の斜視図に示すように、コ字状に切り欠いて形成された接続端子ユニット装着部５がインターホン機器本体１のハウジング１ａ前面に形成され、切り欠いた奥部に接続端子ユニット２と電気的に接続する接続ジャック８を設けた連結面６が形成されている。この連結面６には更にＬＡＮケーブルを接続するＬＡＮ接続端子９が設けられ、接続ジャック８は、連結面６の下部中央に配置され、ＬＡＮ接続端子９はその上方に互いに離れた位置に設けられている。
尚、ハウジング１ａ内部には、接続された配線から伝送された信号を変換したり制御するための電子部品が組み付けられた基板が組み付けられている。
【００１５】
連結面６の左右に延設された腕体１１は、接続端子ユニット２を挟持する挟持壁１１ａが対向する内側に形成され、装着した接続端子ユニット２の左右方向の移動を規制している。そして、挟持壁１１ａには保持リブ１２が形成され、開放された上下方向へ装着された接続端子ユニット２が傾倒するのを防止している。尚、接続端子ユニット２の対応部位には保持リブ１２に係合する係合溝（図示せず）が形成されている。
また、連結面６の下端部には、接続端子ユニット２のスライド挿入操作を案内するスライド案内突片１３が前方に向けて突設され、隣接して接続端子ユニット２に形成された同様のスライド案内突片（図３に示す）を案内する案内溝１４が左右に形成されている。
【００１６】
図３は接続端子ユニット２を上方から見た図を示し、図示上方が背面でありインターホン機器本体１の連結面６に対峙する装着面となっている。この図に示すように、開放された上面に、上方に端子孔を向けて左右に並設された複数の配線接続端子１５から成る接続端子群１６が２段配置されて端子面が構成され、背部中央には接続コネクタ１７が後方に向けて設けられている。配線接続端子１５は速結端子で構成され、１５ａが配線挿入孔、１５ｂが係止解除ボタンとなっている。
また、背面下部の左右にはスライド装着操作を案内するためのスライド案内突片１８が後方に向けて突設され、背面下部中央にはインターホン機器本体１に設けられたスライド案内突片１３を案内する案内溝（図示せず）が形成されている。
【００１７】
図４は施蓋した接続端子ユニット２の正面方向斜視図を示している。蓋３は、天板３ａ及び側板３ｂを有して形成され、開放された接続端子ユニット２の上面に十分な配線処理空間を形成するよう形成されている。また、蓋３の前面は配線挿通孔２２を形成する切り欠き２０が設けられ、背部はＬＡＮ接続端子９等の接続の邪魔に成らないように大きく開口され、接続端子ユニット２に装着して施蓋した際、接続端子ユニット２に一体になるよう形成されている。
また、接続端子ユニット２の前面にも配線挿通孔２２を形成するための切り欠き２１が設けられ、施蓋した際に、双方に設けた切り欠きにより大きな配線挿通孔２２を形成している。これにより、内部に形成された配線処理空間への配線挿入操作がし易くなっている。
【００１８】
このように構成されたインターホン機器について、以下、配線の接続及びユニットの装着について説明する。接続端子ユニット２に組み付けられた複数の配線接続端子１５には、火災感知器、非常ボタン、他のインターホン機器等からの配線が挿入操作することで容易に接続される。また、この接続作業は、接続端子ユニット２が小さく軽量化できるため、作業者が持ちやすく容易に行うことができる。
【００１９】
配線接続後は、インターホン機器本体１にスライド挿入して装着される。このとき、インターホン機器本体１及び接続端子ユニット２の双方に設けたスライド案内突片１３，１８及び案内溝１４等から成るスライド案内手段の作用により、接続コネクタ１７と接続ジャック８の接続をスムーズに行うことができる。
配線接続後の接続確認試験は、端子面が開放されているので容易に行うことができるし、配線接続端子とインターホン機器とを分離する必要があるときも接続端子ユニットを取り外すことで容易に実施できる。こうして配線作業を終了したら施蓋してユニットの装着は完了する。この施蓋により配線挿通孔以外が閉塞されるので端子部に塵等が入り難くなる。また、端子面上部に十分な配線スペースを確保できる。
【００２０】
尚、インターホン機器本体１、接続端子ユニット２、蓋３とが互いにネジにより固定される場合は、施蓋後にネジ止めすることで装着した接続端子ユニット２や蓋３が外れるのを防止できる。また、ＬＡＮケーブルの接続は、ＬＡＮ接続端子９と接続ジャック８とは上下に離れて設けられているので、接続端子ユニット２が装着された後でも、ＬＡＮケーブルは容易に接続する事ができる。
【００２１】
このように、配線接続端子を本体と分離した接続端子ユニットとして構成することにより、扱い易くなり配線接続作業がし易くなる。また、インターホン機器本体を壁面等に取り付けた状態で接続端子ユニットを分離できるので、端子部の接続確認試験やメンテナンスを容易に行うことができる。
また、接続端子ユニットの左右は挟持壁により挟持され、上下方向は保持リブにより保持されるので、スライド方向以外から力が作用しても接続端子ユニットは安定して接続を維持でき、端子構造が劣化したり、機器の破損を防止できる。
更に、インターホン機器本体の側部に接続端子ユニット装着部を設けたので、装着後にハウジングから前方に突出するようなことがなく意匠上も好ましいし、端子面は開放されて端子面が上方に向いて配置されるので、接続作業や接続確認試験がし易いし配線処理もし易い。
また、接続ジャックとＬＡＮ接続端子が同一面に配置されるので、各端子の着脱作業がし易いし、スライド案内手段が簡易な構成で済む。
【００２２】
尚、上記実施形態のインターホン機器はターミナルアダプタを例として説明しているが、インターホン親機、或いは玄関子機、更には集合住宅等で使用する制御機であっても良い。また、ＬＡＮ接続端子９を接続ジャック８の上方に配置しているが、左右方向に配置しても良いし、スライド案内手段をインターホン機器本体１と接続端子ユニット２の双方に設けているが、一方だけに設けても良い。
【図面の簡単な説明】
【００２３】
【図１】本発明に係るインターホン機器の実施形態の一例を示す斜視図である。
【図２】図１のインターホン機器から接続端子ユニット及び蓋を取り外したインターホン機器本体の斜視図である。
【図３】接続端子ユニットを上方から見た斜視図である。
【図４】蓋を組み付けた接続端子ユニットを正面方向から見た斜視図である。
【符号の説明】
【００２４】
１・・インターホン機器本体、１ａ・・ハウジング、２・・接続端子ユニット、３・・蓋、５・・接続端子ユニット装着部、６・・連結面、８・・接続ジャック、９・・ＬＡＮ接続端子、１１ａ・・挟持壁、１２・・保持リブ、１３・・スライド案内突片（スライド案内手段）、１４・・案内溝（スライド案内手段）、１５・・配線接続端子、１６・・接続端子群、１７・・接続コネクタ、１８・・スライド案内突片（スライド案内手段）、２２・・配線挿通孔。
【図１】
2007208506.tif 000003
【図２】
2007208506.tif 000004
【図３】
2007208506.tif 000005
【図４】
2007208506.tif 000006